(57)【要約】【課題】操作基板が大きくなっても基板ベース上と基板ベース下を単品で構成し、組立工数の低減を図り、また、金型を２面作成すると材料が多量となり、加工日数が増加するのを防止し、さらに、コンパクトな省資源化炊飯器を提供することを目的としたものである。調理用のメニューの増加と機能向上により炊飯加熱制御するため操作基板の大きなものが必要となってきている。このため、基板取付板を２分割にしないと金型が抜けない大きさになるという課題を有していた。【解決手段】基板ベースの上方に操作基板を固定する傾斜部を設け、制御基板を略垂直に基板ベースに固定し、基板ベースの上方に傾斜部を金型で形成する穴を設け、基板ベースを単体とするものである。【選択図】図１
2006149592.tif 000002
【特許請求の範囲】
【請求項１】
炊飯器本体に着脱自在に収納される内鍋と、前記内鍋を誘導加熱するための加熱コイルと、前記加熱コイルを制御するインバータ回路を搭載した制御基板と、炊飯操作するための操作基板と、前記操作基板を固定する傾斜部と前記傾斜部を金型で形成する穴を有するとともに前記制御基板を略鉛直に固定する基板ベースとを備えた炊飯器。
【発明の詳細な説明】
【技術分野】
【０００１】
本発明は主に家庭で使用される炊飯器に関するものである。
【背景技術】
【０００２】
従来この種の炊飯器においては調理用のメニューの増加と機能向上により炊飯加熱制御するため操作基板の大きなものが多くなってきている（例えば、特許文献１参照）。
【０００３】
図６は、特許文献１に記載された従来の炊飯器をしめすものである。図６に示すように炊飯器本体１内に鍋２が着脱自在に収納され、鍋２を加熱するための誘導コイル３が保護枠４により鍋２の下方に設けられている。５は制御基板６と操作基板７を固定する基板ベースである。この基板ベース５上に誘導コイル３を制御するための制御基板６が略垂直方向に配置されている。また、基板ベース５の上部に炊飯操作を行うための操作基板７が設けられており、この操作基板７を操作することにより操作基板７及び制御基板６より誘導コイル３が制御されて内鍋２が加熱され炊飯が行われる。
【特許文献１】特開平８−１０１４８号公報
【発明の開示】
【発明が解決しようとする課題】
【０００４】
しかしながら、前記従来の構成では、基板取付板５の下方に大きな制御基板６が略垂直方向に配置されており、また、制御基板６の上側に基板取付板５の壁５ａがあり、このため、炊飯器本体１の高さが高くなるため、基板取付板５を一部品で構成しようとすると、金型の抜きの関係で壁５ａが必要であった。このため炊飯器の全体の大きさをコンパクトにしようとすると、制御基板６が小さい物となり、操作基板７の大きさとキーの数に制限があった。
【０００５】
近年、調理用のメニューの増加と機能向上により炊飯加熱制御するため操作基板７の大きなものが必要となってきている。このため、基板取付板５を２分割にしないと金型が抜けない大きさになるという課題を有していた。この状態を図５に示す。８は制御基板６を支持する基板ベース下である。ビス１０等で制御基板６を基板ベース下８に固定する。９は制御基板７を固定する基板ベース上である。通常、基板ベース上９は前面側が下方にさがっているため大きくなると基板ベース下８と一緒にして単品とすると金型が抜けなかった。１１は基板ベース下８と基板ベース上９を上枠１２に固定するねじである。
【０００６】
本発明は、前記従来の課題を解決するもので、操作基板７が大きくなっても基板ベース上９と基板ベース下８を単品で構成し、組立工数の低減を図り、また、金型を２面作成することによる材料の増加や、加工日数が増加するのを防止し、さらに、コンパクトな省資源化炊飯器を提供することを目的としたものである。
【課題を解決するための手段】
【０００７】
前記従来の課題を解決するために、本発明の炊飯器は、炊飯器本体に着脱自在に収納される内鍋と、前記内鍋を誘導加熱するための加熱コイルと、前記加熱コイルを制御するインバータ回路を搭載した制御基板と、炊飯操作するための操作基板と、前記操作基板を固定する傾斜部と前記傾斜部を金型で形成する穴を有するとともに前記制御基板を略鉛直に固定する基板ベースとを備えたものである。
【０００８】
これによって操作基板７が大きくなっても基板ベース上９と基板ベース下８を単品で構成し、組立工数の低減を図り、また、金型を２面作成すると材料が多量となり、加工日数が増加するのを防止し、さらに、コンパクトな省資源化炊飯器となる。
【発明の効果】
【０００９】
本発明の炊飯器は、組立工数の低減を図り、また、金型を２面作成すると材料が多量となり、加工日数が増加するのを防止し、さらに、コンパクトな省資源化炊飯器とすることができる。
【発明を実施するための最良の形態】
【００１０】
第１の発明は、炊飯操作するための操作基板と、制御基板と操作基板を固定する基板ベースと、この基板ベースの上方に操作基板を固定する傾斜部を設け、制御基板を略垂直に基板ベースに固定し、基板ベースの上方に傾斜部を金型で形成する穴を設け、基板ベースを単体とするとすることにより、操作基板が大きくなっても基板ベース上と基板ベース下を単品で構成し、組立工数の低減を図り、また、金型を２面作成すると材料が多量となり、加工日数が増加するのを防止し、さらに、コンパクトな省資源化炊飯器とすることができる。
【００１１】
さらに、基板ベースの穴を板で塞いだことにより、制御基板への本体内部の熱による加熱の防止を図ることができる。
【００１２】
さらに、炊飯器は前記板を前記制御基板と同一材料で構成したことにより、通常捨てる基板の材料を利用し省資源化を図ることができる。
【００１３】
さらに、板を樹脂で構成したことにより、制御基板への加熱を防止するとともに、基板材料が利用できないときにリサイクル材などを利用し省資源化を図ることができる。
【００１４】
以下、本発明の実施の形態ついて図面を参照しながら説明する。なお、この実施の形態によって本発明が限定されるものではない。
【００１５】
（実施の形態１）
図４は本発明の第１の実施例の形態における炊飯器の縦断面図を示すものである。図１は基板ベース２２の詳細斜視図である。
【００１６】
図４において、炊飯器本体１３はボディ１４及び上枠１５から構成されており、その内部に内鍋１６を収納する保護枠１７が設けられ、保護枠１７の下方には加熱手段である加熱コイル１８が配置されている。そして炊飯器本体１３の前面部に基板ベース１９により操作基板２０とインバータ回路と放熱フィン２１を搭載した制御基板２２が取り付けられリード線２３によって接続されている。操作基板２０は炊飯器本体１３の上面に傾斜して設けられ、その下方に制御基板１９が略垂直に設けられており、基板ベース２２は操作基板２０の下側を覆うように操作基板２０と同じ方向に傾斜した傾斜部２７を設け、下側から制御基板２２を覆うように構成されている。また、上方には開閉自在に蓋体２４が設けられている。そして、操作基板２０を操作することにより操作基板２０および制御基板２２により誘導コイル１８が制御されて内鍋１６が加熱され、炊飯が行われる。
【００１７】
次に、２６は制御基板１９を受ける受けリブである。２５は本発明の重要部である基板ベース２２の上方に傾斜部２７を金型で形成する穴である。この穴２５があることにより基板ベース２２を単体とするとすることができる。
【００１８】
この穴２５の作り方を図２の金型縦断面図で示す。図２において、基板ベース２２の空間２２ａを形成するように、凸金型２８と凹金型２９がある。空間２２ａに樹脂を充填すれば基板ベース２２が成形される。基板ベース２２は、通常難燃性の材料で成形される。これは、万が一、制御基板１９が何らかの理由で発火したとき、炊飯器本体１３が燃焼しないように配慮されているからである。一方、凸金型２８に凸部３０が設けられていることにより、凸金型２８と凹金型２９を図２に示すＡとＢの方向に開くと穴２５が設けられた基板ベース２２が作られるのである（実施の形態１の構成）。
【００１９】
以上のように構成された炊飯器について、以下その動作、作用を説明する。
【００２０】
まず、基板ベース２２の穴２５を設けることにより、従来の炊飯器の壁５ａを廃止することができ、制御基板１９を操作基板２０の裏面側に配置することが可能となり、炊飯器の全高を低くすることができる。また、全高を低くするために基板ベース上と基板ベース下に２分割していた構成も廃止できるのである。このため、操作基板７が大きくなっても基板ベース上９と基板ベース下８を単品で構成し、組立工数の低減を図り、また、金型を２面作成すると材料が多量となり、加工日数が増加するのを防止し、さらに、コンパクトで金型材料と基板ベース材料を省資源化した炊飯器とすることができる。
【００２１】
（実施の形態２）
図３は本発明の第２の実施例の形態における炊飯器の斜視図を示すものである。
【００２２】
図３は、基板ベース２２の穴２５を板３１で塞いだものである。３２は板３１を基板ベース２２に固定するねじである。板３１はねじ３２で固定せずに勘合し、はめ込んで固定してもよい。板３１は通常難燃性の材料を使用するのが常であるが、設計により余裕があれば一般材でもよい。操作基板２０や、制御基板１９と一緒に加工すれば、同時に板３１を手に入れることができる。また、基板用の板は難燃材であるので都合がよい。また、基板に板３１を取る余裕のないときは、適当な厚みの難燃性の板をプレス抜きすれば容易に板３１を作成できる。
【００２３】
以上のように本実施の形態では、基板ベース２２の穴２５を板３１で塞いだことにより、制御基板１９への本体内部で発生した輻射熱の伝達防止を図れ、基板の長寿命化を図ることができる。また、基板の捨てる材料を板３１とすれば、省資源科を図ることができる。
【００２４】
さらに、適当な厚みの難燃性の板をプレス抜きすることにより、複雑な金型を必要とせずに輻射熱の伝達防止を図れるのである。このように制御基板１９を基板ベース２２により操作基板２０とともに炊飯器本体１３の前面部に穴２５を設けて立設することにより炊飯器本体１３の高さが低くし、さらにコンパクト化と省資源化が図れるのである。
【産業上の利用可能性】
【００２５】
以上のように、本発明の炊飯器は、コンパクト化と省資源化が図れるので、民生用のみならず業務用においても有用である。
【図面の簡単な説明】
【００２６】
【図１】本発明の実施の形態１における炊飯器の要部斜視図
【図２】本発明の実施の形態１における炊飯器の要部縦断面図
【図３】本発明の実施の形態２における炊飯器の要部斜視図
【図４】本発明の実施の形態１における炊飯器の縦断面図
【図５】従来の炊飯器の要部斜視図
【図６】従来の炊飯器の縦断面図
【符号の説明】
【００２７】
１３  炊飯器本体
１６  内鍋
１８  加熱コイル
１９  制御基板
２０  操作基板
２２  基板ベース
２５  穴
２７  傾斜部
【図１】
2006149592.tif 000003
【図２】
2006149592.tif 000004
【図３】
2006149592.tif 000005
【図４】
2006149592.tif 000006
【図５】
2006149592.tif 000007
【図６】
2006149592.tif 000008